(57)【要約】【課題】複数の表示装置の設定をより簡易に行う。【解決手段】リモコン７は、プロジェクター１００Ａに操作データを送信する通信部７２と、操作を受け付ける操作部７１とを備え、プロジェクター１００Ａは、リモコン７から送信される操作データを受信するリモコン受光部１３５Ａと、プロジェクター１００Ｂ〜１００Ｄと通信する通信Ｉ／Ｆ部１３９Ａと、リモコン７により設定対象として選択された場合に、階層構造を構成する複数の設定画面から選択される１の設定画面を表示する表示部１１０Ａと、を備え、設定画面を表示中に、リモコン７から設定対象をプロジェクター１００Ｂ〜１００Ｄに切り替える切替指示を受信した場合に、表示中の設定画面の階層を示す項目識別子をプロジェクター１００Ｂ〜１００Ｄに送信する表示システム１。【選択図】図２
2018037834.tif 000002
【特許請求の範囲】
【請求項１】
第１の表示装置、第２の表示装置、及びコントローラーを含む表示システムであって、
前記コントローラーは、
前記第１の表示装置と通信する第１通信部と、
操作を受け付ける操作部と、を備え、
前記第１の表示装置は、
前記コントローラー及び前記第２の表示装置と通信する第２通信部と、
前記コントローラーにより設定対象として選択された場合に、階層構造を構成する複数の設定画面から選択される１の設定画面を表示する第１表示部と、を備え、
前記第２の表示装置は、
前記第１の表示装置と通信する第３通信部と、
前記コントローラーにより設定対象として選択された場合に、階層構造を構成する複数の設定画面から選択される１の設定画面を表示する第２表示部と、を備え、
前記コントローラーは、
前記第１の表示装置が設定画面を表示中に前記操作部で受け付ける操作に基づき、前記第１の表示装置の設定にかかる設定情報を生成して、前記第１通信部によって前記第１の表示装置に送信させ、
前記第２の表示装置が設定画面を表示中に前記操作部で受け付ける操作に基づき、前記第２の表示装置の設定にかかる設定情報を生成して、前記第１通信部によって前記第１の表示装置に送信させ、
前記第１の表示装置は、
設定画面を表示中に、前記コントローラーから設定対象を前記第２の表示装置に切り替える切替指示を受信した場合に、表示中の前記設定画面の階層を示す情報を前記第２の表示装置に送信する表示システム。
【請求項２】
前記第１の表示装置は、設定画面に表示される表示項目と、前記表示項目を特定する識別子とを対応付けた識別子テーブルを記憶する第１記憶部を備え、
前記第２の表示装置は、前記第１記憶部の記憶する前記識別子テーブルと同一の前記識別子テーブルを記憶する第２記憶部を備え、
前記第２の表示装置は、前記第１の表示装置から設定画面の階層を示す前記情報として送信される前記識別子を受信し、前記第２記憶部を参照して前記識別子に対応付けられた表示項目を特定し、特定した表示項目が表示された設定画面を前記第２表示部により表示する請求項１記載の表示システム。
【請求項３】
前記第１の表示装置は、設定対象として前記第２の表示装置が選択され、前記コントローラーから設定画面の変更指示を受信すると、変更後の設定画面に表示される表示項目の識別子を前記第１記憶部に記憶させ、前記第２の表示装置に前記コントローラーから受信した設定画面の前記変更指示を送信し、
前記コントローラーから設定対象を前記第１の表示装置に切り替える切替指示を受信した場合に、前記第１記憶部から前記識別子を取得し、前記第１記憶部を参照して前記識別子に対応付けられた表示項目を特定し、特定した表示項目が表示された設定画面を前記第１表示部により表示する請求項２記載の表示システム。
【請求項４】
前記第２の表示装置を複数有し、
前記コントローラーは、前記第１の表示装置及び複数の前記第２の表示装置を識別する識別情報を第３記憶部に記憶させ、
前記第１の表示装置は、前記第１の表示装置及び複数の前記第２の表示装置を識別する前記識別情報を前記第１記憶部に記憶させ、
前記コントローラーは、前記操作部で受け付けた操作により選択された前記第１の表示装置又は複数の前記第２の表示装置のいずれかを示す識別情報と、前記切替指示とを前記第１の表示装置に送信し、
前記第１の表示装置は、前記コントローラーから受信した前記識別情報が複数の前記第２の表示装置のいずれかの識別情報である場合に、前記識別情報により特定される前記第２の表示装置に前記第１記憶部から取得した前記識別子を送信する請求項３記載の表示システム。
【請求項５】
前記第３記憶部は、前記第１の表示装置及び複数の前記第２の表示装置の相対的な位置関係を示す情報を記憶し、
前記コントローラーは、前記操作部により特定の方向を指定する操作を受け付けると、設定対象として選択された表示装置の位置を基準として、前記操作部で受け付けた前記特定の方向に存在する表示装置を、位置関係を示す前記情報を参照して特定し、特定した前記表示装置の識別情報と、前記切替指示とを前記第１の表示装置に送信する請求項４記載の表示システム。
【請求項６】
通信部と、
階層構造を構成する複数の設定画面から選択される１の設定画面を表示する表示部と、
前記表示部により前記設定画面を表示中に、前記通信部により設定情報を受信した場合に、前記設定情報により指定された設定を前記設定情報に従って変更し、前記表示部により前記設定画面を表示中に、設定対象を他の表示装置に切り替える指示を前記通信部により受信した場合に、表示中の前記設定画面の階層を示す情報を前記通信部により前記他の表示装置に送信させる制御部と、
を備える表示装置。
【請求項７】
第１の表示装置と通信する第１通信部と、
操作を受け付ける操作部と、
前記第１の表示装置又は複数の第２の表示装置の中から設定対象を選択し、選択した表示装置に、階層構造を構成する複数の設定画面から選択される１の設定画面を表示させる制御部と、
前記第１の表示装置及び複数の前記第２の表示装置の識別情報と、前記第１の表示装置及び複数の前記第２の表示装置の相対的な位置関係を示す情報とを記憶する記憶部と、を備え、
前記制御部は、前記操作部により特定の方向を指定する操作を受け付けると、設定対象として選択され、前記設定画面を表示中の表示装置の位置を基準として、前記操作部で受け付けた特定の方向に存在する表示装置を、位置関係を示す前記情報を参照して特定し、設定画面を表示させる表示装置を、特定した前記表示装置に切り替える切替指示と、特定した前記表示装置の識別情報とを前記第１の表示装置に送信するコントローラー。
【請求項８】
外部の装置と通信する通信部を備える表示装置の制御方法であって、
階層構造を構成する複数の設定画面から選択される１の設定画面を表示部により表示させるステップと、
前記表示部により前記設定画面を表示中に、前記表示装置の設定にかかる設定情報を前記通信部により受信した場合に、前記表示装置の設定を前記設定情報に従って変更するステップと、
前記表示部により前記設定画面を表示中に、設定対象を他の表示装置に切り替える指示を前記通信部により受信した場合に、表示中の前記設定画面の階層を示す情報を前記通信部により前記他の表示装置に送信させるステップと、
を有することを特徴とする表示装置の制御方法。
【請求項９】
外部の装置と通信する通信部を備える表示装置を制御するコンピューターが実行可能なプログラムであって、
前記コンピューターに、
階層構造を構成する複数の設定画面から選択される１の設定画面を表示部により表示させる手順と、
前記表示部により前記設定画面を表示中に、前記表示装置の設定にかかる設定情報を前記通信部により受信した場合に、前記表示装置の設定を前記設定情報に従って変更する手順と、
前記表示部により前記設定画面を表示中に、設定対象を他の表示装置に切り替える指示を前記通信部により受信した場合に、表示中の前記設定画面の階層を示す情報を前記通信部により前記他の表示装置に送信させる手順と、
を実行させるためのプログラム。
【発明の詳細な説明】
【技術分野】
【０００１】
本発明は、表示システム、表示装置、コントローラー、表示装置の制御方法、及びプログラムに関する。
【背景技術】
【０００２】
従来、複数の表示装置を連動させるシステムが知られている（例えば、特許文献１参照）。特許文献１のシステムは、メインプロジェクターと、サブプロジェクターとを含み、メインプロジェクターで入力ソース切替え等のイベントが発生した場合に、サブプロジェクターにおいても切り替えが行われる。
【先行技術文献】
【特許文献】
【０００３】
【特許文献１】特開２０１２−１９４４２号公報
【発明の概要】
【発明が解決しようとする課題】
【０００４】
特許文献１のように複数の表示装置を連動させれば、各表示装置の設定を容易に行うことができる。しかしながら、例えば、連動させる各表示装置の機種が異なる場合など、１台の表示装置に設定した設定値や調整値をそのまま他の表示装置に設定することができない場合がある。このような場合、複数の表示装置に対して設定を行うためには、各表示装置に対して個別に設定の操作を行う必要があり、操作が面倒であった。
本発明は、上述した事情に鑑みてなされたものであり、複数の表示装置に対して設定を行う作業を容易にし、作業負担を軽減することを目的とする。
【課題を解決するための手段】
【０００５】
上記課題を解決するため、本発明は、第１の表示装置、第２の表示装置、及びコントローラーを含む表示システムであって、前記コントローラーは、前記第１の表示装置と通信する第１通信部と、操作を受け付ける操作部と、を備え、前記第１の表示装置は、前記コントローラー及び前記第２の表示装置と通信する第２通信部と、前記コントローラーにより設定対象として選択された場合に、階層構造を構成する複数の設定画面から選択される１の設定画面を表示する第１表示部と、を備え、前記第２の表示装置は、前記第１の表示装置と通信する第３通信部と、前記コントローラーにより設定対象として選択された場合に、階層構造を構成する複数の設定画面から選択される１の設定画面を表示する第２表示部と、を備え、前記コントローラーは、前記第１の表示装置が設定画面を表示中に前記操作部で受け付ける操作に基づき、前記第１の表示装置の設定にかかる設定情報を生成して、前記第１通信部によって前記第１の表示装置に送信させ、前記第２の表示装置が設定画面を表示中に前記操作部で受け付ける操作に基づき、前記第２の表示装置の設定にかかる設定情報を生成して、前記第１通信部によって前記第１の表示装置に送信させ、前記第１の表示装置は、設定画面を表示中に、前記コントローラーから設定対象を前記第２の表示装置に切り替える切替指示を受信した場合に、表示中の前記設定画面の階層を示す情報を前記第２の表示装置に送信する。
本発明によれば、第１の表示装置が、設定画面を表示中にコントローラーから切替指示を受信した場合に、表示中の設定画面の階層を示す情報を第２の表示装置に送信する。このため、第２の表示装置に対し、第１の表示装置で表示された設定画面を指定することができる。例えば、第１の表示装置で設定画面に基づき設定を行った場合に、第２の表示装置でも同じ設定画面を表示して設定を行うことができる。そして、この動作を、コントローラーから切替指示を送信することで、容易に実行できる。従って、複数の表示装置に対して設定を行う場合の作業を容易にし、作業負担を軽減できる。
【０００６】
また、本発明は、前記第１の表示装置は、設定画面に表示される表示項目と、前記表示項目を特定する識別子とを対応付けた識別子テーブルを記憶する第１記憶部を備え、前記第２の表示装置は、前記第１記憶部の記憶する前記識別子テーブルと同一の前記識別子テーブルを記憶する第２記憶部を備え、前記第２の表示装置は、前記第１の表示装置から設定画面の階層を示す前記情報として送信される前記識別子を受信し、前記第２記憶部を参照して前記識別子に対応付けられた表示項目を特定し、特定した表示項目が表示された設定画面を前記第２表示部により表示する。
本発明によれば、第１の表示装置及び第２の表示装置が、同一の識別子テーブルを記憶するので、第２の表示装置において、第１の表示装置が表示中の設定画面の表示項目を精度よく特定することができる。
【０００７】
また、本発明は、前記第１の表示装置は、設定対象として前記第２の表示装置が選択され、前記コントローラーから設定画面の変更指示を受信すると、変更後の設定画面に表示される表示項目の識別子を前記第１記憶部に記憶させ、前記第２の表示装置に前記コントローラーから受信した設定画面の前記変更指示を送信し、前記コントローラーから設定対象を前記第１の表示装置に切り替える切替指示を受信した場合に、前記第１記憶部から前記識別子を取得し、前記第１記憶部を参照して前記識別子に対応付けられた表示項目を特定し、特定した表示項目が表示された設定画面を前記第１表示部により表示する。
本発明によれば、第１の表示装置が表示する設定画面を、コントローラーが送信する変更指示により変更できる。この場合に、第１の表示装置が変更した後の設定画面に表示される表示項目の識別子が第１記憶部に記憶される。このため、設定対象が第２の表示装置から第１の表示装置に切り替えられても、第１の表示装置において、第２の表示装置が表示中の設定画面を表示させることができる。従って、第１の表示装置の設定を容易に行うことができる。
【０００８】
また、本発明は、前記第２の表示装置を複数有し、前記コントローラーは、前記第１の表示装置及び複数の前記第２の表示装置を識別する識別情報を第３記憶部に記憶させ、前記第１の表示装置は、前記第１の表示装置及び複数の前記第２の表示装置を識別する前記識別情報を前記第１記憶部に記憶させ、前記コントローラーは、前記操作部で受け付けた操作により選択された前記第１の表示装置又は複数の前記第２の表示装置のいずれかを示す識別情報と、前記切替指示とを前記第１の表示装置に送信し、前記第１の表示装置は、前記コントローラーから受信した前記識別情報が複数の前記第２の表示装置のいずれかの識別情報である場合に、前記識別情報により特定される前記第２の表示装置に前記第１記憶部から取得した前記識別子を送信する。
本発明によれば、コントローラーが、複数の第２の表示装置の中から設定対象を選択した場合に、第１の表示装置が、コントローラーにより選択された第２の表示装置に識別子を送信できる。
【０００９】
また、本発明は、前記第３記憶部は、前記第１の表示装置及び複数の前記第２の表示装置の相対的な位置関係を示す情報を記憶し、前記コントローラーは、前記操作部により特定の方向を指定する操作を受け付けると、設定対象として選択された表示装置の位置を基準として、前記操作部で受け付けた前記特定の方向に存在する表示装置を、位置関係を示す前記情報を参照して特定し、特定した前記表示装置の識別情報と、前記切替指示とを前記第１の表示装置に送信する。
本発明によれば、コントローラーの操作部において特定の方向を指定する操作を入力することで、特定の方向に配置された表示装置を設定対象として選択することができる。
【００１０】
上記課題を解決するため、本発明は、通信部と、階層構造を構成する複数の設定画面から選択される１の設定画面を表示する表示部と、前記表示部により前記設定画面を表示中に、前記通信部により設定情報を受信した場合に、前記設定情報により指定された設定を前記設定情報に従って変更し、前記表示部により前記設定画面を表示中に、設定対象を他の表示装置に切り替える指示を前記通信部により受信した場合に、表示中の前記設定画面の階層を示す情報を前記通信部により前記他の表示装置に送信させる制御部と、を備える。
本発明によれば、表示装置が、設定画面を表示中に設定対象を他の表示装置に切り替える指示を受信した場合に、表示中の設定画面の階層を示す情報を他の表示装置に送信する。このため、他の表示装置に対して、設定画面を指定することができる。例えば、表示装置で設定画面に基づき設定を行った場合に、他の表示装置でも同じ設定画面を表示して設定を行うことができる。そして、この動作を、表示装置に切替指示を送信することで容易に実現できるので、複数の表示装置に対して設定を行う場合の作業を容易にし、作業負担を軽減できる。
【００１１】
上記課題を解決するため、本発明は、第１の表示装置と通信する第１通信部と、操作を受け付ける操作部と、前記第１の表示装置又は複数の第２の表示装置の中から設定対象を選択し、選択した表示装置に、階層構造を構成する複数の設定画面から選択される１の設定画面を表示させる制御部と、前記第１の表示装置及び複数の前記第２の表示装置の識別情報と、前記第１の表示装置及び複数の前記第２の表示装置の相対的な位置関係を示す情報とを記憶する記憶部と、を備え、前記制御部は、前記操作部により特定の方向を指定する操作を受け付けると、設定対象として選択され、前記設定画面を表示中の表示装置の位置を基準として、前記操作部で受け付けた特定の方向に存在する表示装置を、位置関係を示す前記情報を参照して特定し、設定画面を表示させる表示装置を、特定した前記表示装置に切り替える切替指示と、特定した前記表示装置の識別情報とを前記第１の表示装置に送信する。
本発明によれば、コントローラーの操作部において特定の方向を指定する操作を入力することで、特定の方向に配置された表示装置を設定対象として選択することができる。
【００１２】
上記課題を解決するため、本発明は、外部の装置と通信する通信部を備える表示装置の制御方法であって、階層構造を構成する複数の設定画面から選択される１の設定画面を表示部により表示させるステップと、前記表示部により前記設定画面を表示中に、前記表示装置の設定にかかる設定情報を前記通信部により受信した場合に、前記表示装置の設定を前記設定情報に従って変更するステップと、前記表示部により前記設定画面を表示中に、設定対象を他の表示装置に切り替える指示を前記通信部により受信した場合に、表示中の前記設定画面の階層を示す情報を前記通信部により前記他の表示装置に送信させるステップと、を有する。
本発明によれば、表示装置が、設定画面を表示中に設定対象を他の表示装置に切り替える指示を受信した場合に、表示中の設定画面の階層を示す情報を他の表示装置に送信する。このため、他の表示装置に対して、設定画面を指定することができる。例えば、表示装置で設定画面に基づき設定を行った場合に、他の表示装置でも同じ設定画面を表示して設定を行うことができる。そして、この動作を、表示装置に切替指示を送信することで容易に実現できるので、複数の表示装置に対して設定を行う場合の作業を容易にし、作業負担を軽減できる。
【００１３】
上記課題を解決するため、本発明は、外部の装置と通信する通信部を備える表示装置を制御するコンピューターが実行可能なプログラムであって、前記コンピューターに、階層構造を構成する複数の設定画面から選択される１の設定画面を表示部により表示させる手順と、前記表示部により前記設定画面を表示中に、前記表示装置の設定にかかる設定情報を前記通信部により受信した場合に、前記表示装置の設定を前記設定情報に従って変更する手順と、前記表示部により前記設定画面を表示中に、設定対象を他の表示装置に切り替える指示を前記通信部により受信した場合に、表示中の前記設定画面の階層を示す情報を前記通信部により前記他の表示装置に送信させる手順と、を実行させる。
本発明によれば、表示装置が、設定画面を表示中に設定対象を他の表示装置に切り替える指示を受信した場合に、表示中の設定画面の階層を示す情報を他の表示装置に送信する。このため、他の表示装置に対して、設定画面を指定することができる。例えば、表示装置で設定画面に基づき設定を行った場合に、他の表示装置でも同じ設定画面を表示して設定を行うことができる。そして、この動作を、表示装置に切替指示を送信することで容易に実現できるので、複数の表示装置に対して設定を行う場合の作業を容易にし、作業負担を軽減できる。
【図面の簡単な説明】
【００１４】
【図１】第１実施形態の表示システムのシステム構成を示す構成図。
【図２】第１実施形態の表示システムのシステム構成を示す構成図。
【図３】識別子登録テーブルを示す図。
【図４】リモコンによりプロジェクターの機能設定を行う場合の動作を示す図。
【図５】プロジェクターの動作を示すフローチャート。
【図６】第２実施形態の表示システムのシステム構成を示す構成図。
【図７】配置情報を示す図。
【図８】第２実施形態のプロジェクターの構成図。
【図９】タブレット端末の表示パネルに表示される設定画面を示す図。
【図１０】タブレット端末の表示パネルに対して行われる操作を示す図。
【図１１】タブレット端末の動作を示すフローチャート。
【発明を実施するための形態】
【００１５】
以下、添付図面を参照して本発明の実施形態について説明する。
【００１６】
［第１実施形態］
図１は、第１実施形態の表示システム１の構成を示す構成図である。
図１に示す表示システム１は、複数のプロジェクター１００と、これらのプロジェクター１００に画像データを供給する画像供給装置２００とを備え、これらの装置がネットワーク２に接続された構成を備える。プロジェクター１００は、本発明の「表示装置」に相当する。
図１には、プロジェクター１００として、プロジェクター１００Ａ、プロジェクター１００Ｂ、プロジェクター１００Ｃ及びプロジェクター１００Ｄの４台のプロジェクターを示すが、プロジェクター１００の台数は４台に限定されない。４台のプロジェクター１００Ａ、プロジェクター１００Ｂ、プロジェクター１００Ｃ及びプロジェクター１００Ｄを特に区別することなく総称する場合には、プロジェクター１００と表記する。
また、図１には、４台のプロジェクター１００を投射対象としてのスクリーンＳＣの前方の床や台の上に平置きし、４台のプロジェクター１００を縦２列、横２列に配置した場合を示す。図１において、紙面に向かって上段左側にプロジェクター１００Ａを配置し、上段右側にはプロジェクター１００Ｂを配置する。また、図１において、紙面に向かって下段左側にはプロジェクター１００Ｃを配置し、下段右側にはプロジェクター１００Ｄを配置する。これらのプロジェクター１００Ａ〜１００Ｄの配置は、図１に示す配置に限定されるものではなく、例えば、横１列に配置した構成であってもよい。また、プロジェクター１００の設置方法は、平置きに限定されるものではなく、プロジェクター１００を天井から吊り下げる天吊り設置や、壁面に掛ける壁掛け設置とすることも可能である。
また、図１には、プロジェクター１００が投射対象としてのスクリーンＳＣに画像を投射する場合を示すが、投射対象は、建物等であってもよい。
【００１７】
表示システム１を構成するプロジェクター１００Ａ〜１００Ｄのうち、１台のプロジェクター１００は、マスタープロジェクターとして動作し、他のプロジェクター１００は、サブプロジェクターとして動作する。本実施形態では、プロジェクター１００Ａがマスタープロジェクターとして動作し、プロジェクター１００Ｂ〜１００Ｄがサブプロジェクターとして動作する場合を例に説明する。マスタープロジェクターは、プロジェクター１００Ａである必要はなく、他のプロジェクター１００Ｂ〜１００Ｄであってもよい。プロジェクター１００Ａが本発明の「第１の表示装置」に相当する。また、プロジェクター１００Ｂ〜１００Ｄが本発明の「第２の表示装置」に相当する。
【００１８】
本実施形態の表示システム１は、プロジェクター１００を遠隔操作することが可能なリモコン（リモートコントローラー）７が送信する操作データを、マスタープロジェクターであるプロジェクター１００Ａだけが受信するように設定される。リモコン７については後述する。サブプロジェクターであるプロジェクター１００Ｂ〜１００Ｄは、リモコン７が送信した操作データを受信しない。又はプロジェクター１００Ｂ〜１００Ｄは、操作データを受信しても、受信した操作データを破棄するか、操作データにより指示された処理を実行しない。リモコン７は、本発明の「コントローラー」に相当する。
【００１９】
マスタープロジェクターであるプロジェクター１００Ａは、リモコン７により操作する操作対象のプロジェクター１００が、プロジェクター１００Ａに設定されている場合、受信した操作データに従って処理を実行する。また、プロジェクター１００Ａは、リモコン７により操作する操作対象のプロジェクター１００が、プロジェクター１００Ｂ〜１００Ｄに設定されている場合、受信した操作データを、操作対象に設定されたプロジェクター１００Ｂ〜１００Ｄに送信する。
【００２０】
プロジェクター１００Ａ〜プロジェクター１００Ｄと、画像供給装置２００とは、ＬＡＮ（Local Area Network）ケーブル等の通信ケーブル３によりネットワーク２に接続される。ネットワーク２は、例えば、Ｅｔｈｅｒｎｅｔ（登録商標）規格に準拠して構成されたＬＡＮ等の双方向通信可能なネットワークである。ネットワーク２は、プロジェクター１００Ａ〜プロジェクター１００Ｄ及び画像供給装置２００を相互に通信可能に接続する。本実施形態では、ネットワーク２がＬＡＮの有線通信回線により構成される場合について説明するが、ネットワーク２は、無線ＬＡＮ等の無線通信回線により構成することも可能である。
【００２１】
また、プロジェクター１００Ａ〜プロジェクター１００Ｄは、ＭＨＬ（登録商標：Mobile High-definition Link）、ＨＤＭＩ（登録商標）、ＤｉｓｐｌａｙＰｏｒｔ等の画像信号用のケーブル５によって個別に画像供給装置２００に接続される。
本実施形態では、プロジェクター１００及び画像供給装置２００を有線の通信ケーブル３により接続した場合を示すが、無線ＬＡＮやＢｌｕｅｔｏｏｔｈ（登録商標）等の無線通信によりプロジェクター１００及び画像供給装置２００を接続してもよい。
【００２２】
プロジェクター１００Ａ〜１００Ｄには、画像供給装置２００から供給される画像信号が入力される。画像供給装置２００は、例えば、ビデオ再生装置、ＤＶＤ（Digital Versatile Disk）再生装置、テレビチューナー装置、ＣＡＴＶ（Cable television）のセットトップボックス、ビデオゲーム装置等の映像出力装置である。また、パーソナルコンピューター等を画像供給装置２００として用いてもよい。
【００２３】
各プロジェクター１００には、画像供給装置２００から画像信号が供給される。
各プロジェクター１００は、供給された画像信号に基づく画像をスクリーンＳＣ上に並べて表示するマルチプロジェクションシステムとして動作する。スクリーンＳＣ上で複数の画像を並べて構成される画像は、タイリング画像と呼ばれる。複数のプロジェクター１００から投射される画像をスクリーンＳＣ上に並べて表示することで、１台のプロジェクター１００では実現できない高解像、高輝度な画像の表示が可能となる。
【００２４】
本実施形態は、スクリーンＳＣの表示領域１０を、表示領域１０Ａ、１０Ｂ、１０Ｃ及び１０Ｄの４つの領域に分割し、分割した各表示領域１０Ａ〜１０Ｄにプロジェクター１００の投射する画像（以下、投射画像という）が投射される。
本実施形態では、表示領域１０Ａには、プロジェクター１００Ａが投射する画像が表示され、表示領域１０Ｂには、プロジェクター１００Ｂが投射する投射画像が表示される。また、表示領域１０Ｃには、プロジェクター１００Ｃが投射する投射画像が表示され、表示領域１０Ｄには、プロジェクター１００Ｄが投射する投射画像が表示される。
一般にタイリング画像の投射を行う場合、複数のプロジェクター１００を隣接して配置し、隣接するプロジェクター１００同士の投射する投射画像は、画像の一部が重なり合う。
【００２５】
図２は、プロジェクター１００Ａの構成図である。プロジェクター１００Ａ〜１００Ｄは、ほぼ同一の構成を備えているため、代表してプロジェクター１００Ａの構成を説明する。
【００２６】
プロジェクター１００Ａは、画像Ｉ／Ｆ部１５１Ａを備える。画像Ｉ／Ｆ部１５１Ａは、ケーブル５を接続するコネクター及びインターフェース回路（いずれも図示略）を備え、ケーブル５を介して接続された画像供給装置２００から供給される画像信号を入力する。画像Ｉ／Ｆ部１５１Ａは、入力された画像信号を画像データに変換して画像処理部１５２Ａに出力する。
本実施形態の画像Ｉ／Ｆ部１５１Ａが備えるインターフェースは、例えば、ＭＨＬ、ＨＤＭＩ、ＤｉｓｐｌａｙＰｏｒｔ等の画像データ用のインターフェースである。また、画像Ｉ／Ｆ部１５１Ａが、Ｅｔｈｅｒｎｅｔ、ＩＥＥＥ１３９４、ＵＳＢ等のデータ通信用のインターフェースを備えてもよい。
また、画像Ｉ／Ｆ部１５１Ａは、コネクターとして、アナログ映像信号が入力されるＶＧＡ端子や、デジタル映像データが入力されるＤＶＩ（Digital Visual Interface）端子を備える構成であってもよい。さらに、画像Ｉ／Ｆ部１５１Ａは、Ａ／Ｄ変換回路を備え、ＶＧＡ端子を介してアナログ映像信号が入力された場合、Ａ／Ｄ変換回路によりアナログ映像信号を画像データに変換し、画像処理部１５２Ａに出力する。
【００２７】
プロジェクター１００Ａは、光学的な画像の形成を行い、スクリーンＳＣに画像を投射（表示）する表示部１１０Ａを備える。表示部１１０Ａは、光源としての光源部１１１Ａ、光変調装置１１２Ａ及び投射光学系１１３Ａを備える。プロジェクター１００Ａの表示部１１０Ａは、本発明の「第１表示部」に相当する。また、プロジェクター１００Ｂ〜１００Ｄの表示部１１０Ｂ〜１１０Ｄは、本発明の「第２表示部」に相当する。
【００２８】
光源部１１１Ａは、キセノンランプ、超高圧水銀ランプ、ＬＥＤ（Light Emitting Diode）又はレーザー光源等の光源を備える。また、光源部１１１Ａは、光源が発した光を光変調装置１１２Ａに導くリフレクター及び補助リフレクターを備えていてもよい。さらに、光源部１１１Ａは、投射光の光学特性を高めるためのレンズ群、偏光板、又は光源が発した光の光量を光変調装置１１２Ａに至る経路上で低減させる調光素子等（いずれも図示略）を備えていてもよい。
【００２９】
光源部１１１Ａは、光源駆動部１２１Ａにより駆動される。光源駆動部１２１Ａは、内部バス１８０Ａに接続される。光源駆動部１２１Ａは、制御部１７０Ａの制御に従って、光源部１１１Ａの光源を点灯及び消灯させる。
【００３０】
光変調装置１１２Ａは、例えばＲＧＢの三原色に対応した３枚の液晶パネルを備える。光源部１１１Ａが発する光はＲＧＢの３色の色光に分離され、対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３Ａに射出される。
【００３１】
光変調装置１１２Ａには、光変調装置１１２Ａの液晶パネルを駆動する光変調装置駆動部１２２Ａが接続される。光変調装置駆動部１２２Ａは、内部バス１８０Ａに接続される。
光変調装置駆動部１２２Ａは、画像処理部１５２Ａから入力される表示画像データ（後述する）に基づいてＲ，Ｇ，Ｂの表示画像信号をそれぞれ生成する。光変調装置駆動部１２２Ａは、生成したＲ，Ｇ，Ｂの表示画像信号に基づいて、光変調装置１１２Ａの対応する液晶パネルを駆動し、各液晶パネルに画像を描画する。
【００３２】
投射光学系１１３Ａは、光変調装置１１２Ａにより変調された画像光をスクリーンＳＣ方向へ投射してスクリーンＳＣ上に結像させるレンズ群を備える。また、投射光学系１１３Ａは、スクリーンＳＣの投射画像の拡大・縮小及び焦点の調整を行うズーム機構、フォーカスの調整を行うフォーカス調整機構を備えていてもよい。
【００３３】
プロジェクター１００Ａは、入力操作部１３１Ａを備える。
入力操作部１３１Ａは、ユーザーがプロジェクター１００Ａに対して各種指示を行うための複数の操作キー（図示略）を備える。入力操作部１３１Ａが備える操作キーとしては、例えば、プロジェクター１００Ａの電源オン及び／または電源オフを指示するための電源キー、各種設定を行うためのメニュー画像を表示させるためのメニューキー等が挙げられる。また、メニュー画像等で選択された項目を確定させる決定キー、上下左右に対応する十字キー等が挙げられる。後述する制御部１７０Ａは、入力操作部１３１Ａで受け付けた操作内容に従って、プロジェクター１００Ａを制御する。
【００３４】
プロジェクター１００Ａは、リモコン受光部１３５Ａを備える。リモコン受光部１３５Ａは、本発明の「第２通信部」に相当する。リモコン受光部１３５Ａは、内部バス１８０Ａに接続される。リモコン受光部１３５Ａは、リモコン７から送信される各種指示を示す操作データを受信する。操作データには、指示の内容を示す命令や、リモコン７の十字キー等で受け付けた操作量を示すデータ等が含まれる。
リモコン７は、操作データをプロジェクター１００Ａに送信する通信部７２を備える。通信部７２は、本発明の「第１通信部」に相当する。また、リモコン７は、操作部７１を備える。操作部７１には、操作キーとして、電源のオン・オフを切替えるための電源キーや、各種設定を行うためのメニュー画像を表示させるためのメニューキー、メニュー画像等で選択された項目を確定させる決定キー、上下左右に対応する十字キー等を備える。
リモコン７は、入力操作部１３１Ａの操作キーとは異なる操作キーとして、「切替キー」を備える。切替キーを押下することで、操作対象のプロジェクター１００Ａを切替えることができる。
【００３５】
また、リモコン７と、リモコン受光部１３５Ａとは、それぞれ送信チャネルと、受信チャネルとを設定可能に構成される。リモコン７の送信チャネルと、リモコン受光部１３５Ａの受信チャネルとを同一のチャネルに設定することで、リモコン受光部１３５Ａは、リモコン７から送信される操作データを受信可能となる。
本実施形態では、一例として、プロジェクター１００Ａのリモコン受光部１３５Ａが、リモコン７の送信チャネルと同一のチャネルに設定される。他のプロジェクター１００Ｂ〜１００Ｄのリモコン受光部１３５Ｂ〜１３５Ｄは、リモコン７の送信チャネルとは異なるチャネルに設定される。又は他のプロジェクター１００Ｂ〜１００Ｄのリモコン受光部１３５Ｂ〜１３５Ｄは、電源オフに設定されるか、リモコン７から操作データを受信しても、受信した操作データを制御部１７０Ｂ〜１７０Ｄに出力しない。
【００３６】
ユーザーは、プロジェクター１００Ａ以外のプロジェクター１００Ｂ〜１００Ｄをリモコン７により操作する場合、切替キーを押下する。
例えば、切替キーを１回押下することで、操作対象がプロジェクター１００Ａからプロジェクター１００Ｂに切り替わる。プロジェクター１００Ａの制御部１７０Ａは、操作対象がプロジェクター１００Ｂに切替えられ、リモコン７から操作データを受信すると、受信した操作データをプロジェクター１００Ｂに送信する。
切替キーをもう一度押下することで、操作対象がプロジェクター１００Ｂからプロジェクター１００Ｃに切り替わる。また、切替キーをもう一度押下することで、操作対象がプロジェクター１００Ｃからプロジェクター１００Ｄに切り替わる。また、切替キーをもう一度押下することで、操作対象がプロジェクター１００Ｄからプロジェクター１００Ａに切り替わる。
プロジェクター１００Ａの制御部１７０Ａは、リモコン７から操作データを受信すると、受信した操作データを操作対象のプロジェクター１００Ｂに送信する。
【００３７】
プロジェクター１００Ａは、無線通信部１３７Ａを備える。無線通信部１３７Ａは、内部バス１８０Ａに接続される。無線通信部１３７Ａは、図示しないアンテナやＲＦ（Radio Frequency）回路等を備え、制御部１７０Ａの制御の下、外部の装置（例えば、第２実施形態で説明するタブレット端末）との間で無線通信を実行する。無線通信部１３７Ａの無線通信方式は、例えば無線ＬＡＮ、Ｂｌｕｅｔｏｏｔｈ、ＵＷＢ（Ultra Wide Band）、赤外線通信等の近距離無線通信方式、又は携帯電話回線を利用した無線通信方式を採用できる。
【００３８】
プロジェクター１００Ａは、通信Ｉ／Ｆ部１３９Ａを備える。通信Ｉ／Ｆ部１３９Ａは、本発明の「第２通信部」及び「通信部」に相当する。また、プロジェクター１００Ｂ〜１００Ｄの通信Ｉ／Ｆ部１３９Ｂ〜通信Ｉ／Ｆ部１３９Ｄは、本発明の「第３通信部」に相当する。通信Ｉ／Ｆ部１３９Ａは、データ通信を行うインターフェースであり、本実施形態では通信ケーブル３に接続する。通信Ｉ／部１３９Ａは、制御部１７０Ａの制御に従い、通信ケーブル３を介して他のプロジェクター１００Ｂ〜１００Ｄとの間で各種データを送受信する。
【００３９】
プロジェクター１００Ａは、画像処理系を備える。画像処理系は、プロジェクター１００Ａの全体を統括的に制御する制御部１７０Ａを中心に構成され、この他に、画像処理部１５２Ａ、フレームメモリー１５５Ａ及び記憶部１６０Ａを備える。制御部１７０Ａ、画像処理部１５２Ａ及び記憶部１６０Ａは、内部バス１８０Ａに接続される。記憶部１６０Ａは、本発明の「第１記憶部」に相当する。また、プロジェクター１００Ｂ〜１００Ｄの記憶部１６０Ｂ〜１６０Ｄは、本発明の「第２記憶部」に相当する。
【００４０】
画像処理部１５２Ａは、制御部１７０Ａの制御に従って、画像Ｉ／Ｆ部１５１Ａから入力される画像データをフレームメモリー１５５Ａに展開する。画像処理部１５２Ａは、フレームメモリー１５５Ａに展開された画像データに対して、例えば、解像度変換（スケーリング）処理又はリサイズ処理、歪曲収差の補正、形状補正処理、デジタルズーム処理、画像の色合いや明るさの調整等の画像処理を行う。画像処理部１５２Ａは、制御部１７０Ａにより指定された処理を実行し、必要に応じて、制御部１７０Ａから入力されるパラメーターを使用して処理を行う。また、画像処理部１５２Ａは、上記のうち複数の処理を組み合わせて実行することも勿論可能である。
画像処理部１５２Ａは、処理後の画像データをフレームメモリー１５５Ａから読み出し、表示画像データとして光変調装置駆動部１２２Ａに出力する。
【００４１】
記憶部１６０Ａは、不揮発性の記憶装置であり、例えば、フラッシュメモリー、ＥＰＲＯＭ（Erasable Programmable ROM）、ＥＥＰＲＯＭ（Electrically EPROM）、ＨＤＤ（Hard Disc Drive）などの記憶装置により実現される。
【００４２】
また、記憶部１６０Ａは、識別子登録テーブル１６５Ａを記憶する。図３に、識別子登録テーブル１６５Ａを示す。識別子登録テーブル１６５Ａは、本発明の「識別子テーブル」に相当する。
識別子登録テーブル１６５Ａは、複数のメニュー項目と、各メニュー項目を識別する項目識別子とを対応付けて登録したテーブルである。項目識別子は、本発明の「識別子」に相当する。また、メニュー項目は、本発明の「表示項目」に相当する。複数のメニュー項目は、階層構造を有し、上位及び下位の関係に従った複数の階層に区分けされる。
例えば、最上位の階層のあるメニュー項目が選択されると、選択されたメニュー項目に関連した下の階層のメニュー項目が選択可能になり、この下の階層のあるメニュー項目が選択されるとさらにその下の階層のメニュー項目が選択可能になるという関係にある。また、上位のメニュー項目に複数の下位のメイン項目が属する場合、これらの下位のメニュー項目は、操作を行う上で、関連性の高いメニュー項目となる。例えば、上位のメニュー項目が映像調整である場合、その下位のメニュー項目は、明るさやコントラストといった項目である。
【００４３】
図３には、一例として、第１階層のメニュー項目が「拡張設定」、第２階層のメニュー項目が「マルチプロジェクション」、「省電力設定」、第３階層のメニュー項目が「エッジブレンディング」、「カラーマッチング」、「黒レベル調整」である場合を示す。
例えば、第１階層のメニュー項目である「拡張設定」には、項目識別子として「１．４」が設定される。また、例えば、第２階層のメニュー項目である「マルチプロジェクション」及び「省電力設定」には、項目識別子として、それぞれ、「１．４．１」、及び、「１．４．２」が設定される。また、第３階層のメニュー項目である「エッジブレンディング」、「カラーマッチング」、及び、「黒レベル調整」には、項目識別子として「１．４．１．１」、「１．４．１．２」、及び「１．４．１．３」がそれぞれ設定される。
【００４４】
項目識別子には、対応付けられたメニュー項目が階層構造のどの階層に位置づけられているかを示す情報が含まれる。また、項目識別子には、項目識別子が割り当てられたメニュー項目の上位に位置するメニュー項目と、下位に位置するメニュー項目とを特定することが可能な情報が含まれる。
例えば、「マルチプロジェクション」の項目識別子である「１．４．１」と、「省電力設定」の項目識別子である「１．４．２」とは、ピリオドで区切られた３桁の数字を有するため、同一の階層（第２階層）に属すると判断できる。
また、「マルチプロジェクション」及び「省電力設定」の項目識別子は、上位２桁の数字「１」と「４」とが共通するため、同一の上位のメニュー項目「拡張設定」（１．４）に属するメニュー項目であると判断できる。
また、「エッジブレンディング」の項目識別子は「１．４．１．１」であり、「カラーマッチング」の項目識別子は「１．４．１．２」であり、「黒レベル調整」の項目識別子は「１．４．１．３」である。項目識別子「１．４．１．１」、「１．４．１．２」、及び、「１．４．１．３」は、ピリオドで区切られた４桁の数字を有するため、同一の階層（第３階層）に属すると判断できる。また、項目識別子の上位３桁の数字「１」と「４」と「１」とが共通するため、同一の上位のメニュー項目「マルチプロジェクション」（１．４．１）に属するメニュー項目であると判断できる。
【００４５】
プロジェクター１００Ｂ〜１００Ｄも識別子登録テーブル１６５Ｂ〜１６５Ｄを記憶する。識別子登録テーブル１６５Ａ〜１６５Ｄに登録される情報は、同一の情報である。すなわち、項目識別子を特定することで、プロジェクター１００Ａ〜１００Ｄは、同一のメニュー項目を特定することができる。
【００４６】
制御部１７０Ａは、ＣＰＵ、ＲＯＭ及びＲＡＭ（いずれも図示略）等のハードウェアを備える。ＲＯＭは、フラッシュＲＯＭ等の不揮発性の記憶装置であり、制御プログラムやデータを格納する。ＲＡＭは、ＣＰＵのワークエリアを構成する。ＣＰＵは、ＲＯＭや記憶部１６０Ａから読み出した制御プログラムをＲＡＭに展開し、ＲＡＭに展開された制御プログラムを実行してプロジェクター１００Ａの各部を制御する。
【００４７】
また、制御部１７０Ａは、機能ブロックとして、投射制御部１７１Ａと、設定制御部１７２Ａとを備える。これらの機能ブロックは、ＲＯＭや記憶部１６０Ａに記憶された制御プログラムをＣＰＵが実行することで実現される。
【００４８】
投射制御部１７１Ａは、表示部１１０Ａにおける画像の表示態様を調整し、スクリーンＳＣへの画像の投射を実行する。
具体的には、投射制御部１７１Ａは、画像処理部１５２Ａを制御して、画像Ｉ／Ｆ部１５１Ａより入力された画像データに対する画像処理を実施させる。この際、投射制御部１７１Ａは、画像処理部１５２Ａが処理に必要なパラメーターを記憶部１６０Ａから読み出し、画像処理部１５２Ａに出力してもよい。
また、投射制御部１７１Ａは、光源駆動部１２１Ａを制御して光源部１１１Ａの光源を点灯させ、光源の輝度を調整させる。これにより、光源が発光し、光変調装置１１２Ａが変調する画像光が投射光学系１１３ＡによりスクリーンＳＣに投射される。
【００４９】
設定制御部１７２Ａは、リモコン７の切替キーが操作され、切替キーの操作に対応した操作データを受信すると、操作対象として選択されたプロジェクター１００を識別する識別情報をＲＡＭに記憶させる。
また、設定制御部１７２Ａは、リモコン７から操作データを受信すると、ＲＡＭを参照して、操作対象のプロジェクター１００を判定する。例えば、プロジェクター１００Ａが操作対象であり、リモコン７から受信した操作データに、複数のメニュー項目の中から選択された１つのメニュー項目を示すデータが含まれる場合を想定する。この場合、設定制御部１７２Ａは、選択されたメニュー項目が表示された画面（以下、メニュー画面という）をスクリーンＳＣに表示させる。
また、設定制御部１７２Ａは、受信した操作データが、設定画面に表示された設定項目の設定値を変更する操作量を示すデータである場合、この操作量に基づき設定値を書き換える。すなわち、設定制御部１７２Ａは、操作データから操作量を示すデータを取り出し、取り出した操作量に該当する機能の設定値を、取り出した操作量を示すデータに基づいて書き換える。なお、設定項目、メニュー項目、設定画面、メニュー画面の違いについては、図４を参照しながら説明する。
また、設定制御部１７２Ａは、操作対象のプロジェクター１００が、他のプロジェクター１００Ｂ〜１００Ｄである場合、受信した操作データを、操作対象のプロジェクター１００Ｂ〜１００Ｄに送信する。
【００５０】
図４は、リモコン７によりプロジェクター１００Ａ及び１００Ｂの機能設定を行う場合の動作を示す図である。なお、図４の説明において、操作対象のプロジェクター１００は、最初、プロジェクター１００Ａに設定されていると仮定して説明する。
図４には、例えば、リモコン７が操作され、メニュー項目として、拡張設定のマルチプロジェクションが選択された場合を示す。
メニュー項目としてマルチプロジェクションが選択されると（ステップＴ１）、プロジェクター１００Ａの設定制御部１７２Ａは、マルチプロジェクションのメニュー画面をスクリーンＳＣに表示する（ステップＴ２）。このメニュー画面には、マルチプロジェクションの下位の階層のメニュー項目であるエッジブレンディング、カラーマッチング、黒レベル調整が表示される。
【００５１】
次に、ユーザーは、リモコン７を操作して、メニュー画面に表示されたメニュー項目の中から、いずれか１つを選択する（ステップＴ３）。図４には、メニュー項目として黒レベル調整が選択された場合を示す。
リモコン７は、メニュー項目として黒レベル調整を示す情報を生成し、操作データとしてプロジェクター１００Ａに送信する。設定制御部１７２Ａは、リモコン７から受信した操作データを解析し、黒レベル調整を示す情報を取り出す。設定制御部１７２Ａは、取り出した黒レベル調整を示す情報に基づき、スクリーンＳＣに、黒レベル調整の設定画面を表示させる（ステップＴ４）。この設定画面には、黒レベルを調整するための設定項目が表示される。黒レベル調整のために複数の設定項目がある場合、設定画面には、複数の設定項目が表示される。
ここで、設置項目とメニュー項目について説明する。本実施形態では、設定を行う機能を選択するための項目がメニュー項目であり、黒レベル調整等の実際の機能を設定する項目を設定項目と表記する。設定項目は、図３に示す第３階層のメニュー項目に対応付けられる。また、設定項目が表示された画面を設定画面といい、メニュー項目が表示された画面をメニュー画面という。
【００５２】
次に、ユーザーは、リモコン７の十字キー等を操作して、メニュー画面に表示された設定項目の設定値を入力する。リモコン７は、入力を受け付けると（ステップＴ５）、設定項目の指定と、この設定項目に対する操作量を示すデータとを含む操作データを生成して、プロジェクター１００Ａに送信する。
プロジェクター１００Ａの設定制御部１７２Ａは、リモコン７から受信した操作データを解析し、設定項目を指定する情報と、設定項目に対する操作量を示すデータとを取り出す。設定制御部１７２Ａは、取り出した操作量を示すデータに基づき、黒レベル調整の指定された設定項目の設定値を書き換える（ステップＴ６）。
【００５３】
図４には、ユーザーがプロジェクター１００Ａの黒レベル調整を行った後に、操作対象のプロジェクター１００をプロジェクター１００Ａからプロジェクター１００Ｂに変更する操作を行った場合を示す。ユーザーは、リモコン７の切替キーを操作して、操作対象のプロジェクター１００をプロジェクター１００Ａからプロジェクター１００Ｂに切替える（ステップＴ７）。リモコン７は、切替キーが操作されたことを示す情報を含む操作データを生成して、プロジェクター１００Ａに送信する。
プロジェクター１００Ａの設定制御部１７２Ａは、リモコン７から受信した操作データを解析し、切替キーが操作されたことを示す情報を取り出す。設定制御部１７２Ａは、取り出した情報が、切替キーが操作されたことを示す情報である場合、現在、スクリーンＳＣに表示中のメニュー画面に表示されたメニュー項目を特定する項目識別子を、識別子登録テーブル１６５Ａから取得する。ここでは、設定制御部１７２Ａは、識別子登録テーブル１６５Ａから黒レベル調整の項目識別子「１．４．１．３」を取得する。
【００５４】
設定制御部１７２は、取得した項目識別子「１．４．１．３」を、プロジェクター１００Ｂに送信する（ステップＴ８）。プロジェクター１００Ｂに送信される項目識別子が「階層を示す情報」に相当する。
プロジェクター１００Ｂの設定制御部１７２Ｂは、プロジェクター１００Ａから項目識別子「１．４．１．３」を受信すると、受信した項目識別子が示すメニュー項目を、識別子登録テーブル１６５Ｂを参照して特定する。
プロジェクター１００Ｂの設定制御部１７２Ｂは、特定した黒レベル調整を設定項目として含む設定画面をスクリーンＳＣに表示させる（ステップＴ９）。
【００５５】
ユーザーは、リモコン７の十字キー等を操作して、設定画面に表示された設定項目の設定値を入力する。リモコン７は、入力を受け付けると（ステップＴ１０）、設定項目の指定と、この設定項目に対する操作量を示すデータとを含む操作データを生成して、プロジェクター１００Ａに送信する。
プロジェクター１００Ａの設定制御部１７２Ａは、操作対象が、プロジェクター１００Ａからプロジェクター１００Ｂに切替えられているため、受信した操作データをプロジェクター１００Ｂに送信する（ステップＴ１１）。
プロジェクター１００Ｂの設定制御部１７２Ｂは、リモコン７から受信した操作データを解析し、設定項目を指定する情報と、設定項目に対する操作量を示すデータとを取り出す。設定制御部１７２Ｂは、取り出した操作量を示すデータに基づき、黒レベル調整の指定された設定項目の設定値を書き換える（ステップＴ１２）。
【００５６】
図５は、プロジェクター１００Ａの動作を示すフローチャートである。
制御部１７０Ａは、まず、リモコン７から操作データを受信したか否かを判定する（ステップＳ１）。否定判定の場合（ステップＳ１／ＮＯ）、制御部１７０Ａは、操作データを受信するまで待機するか、又は他の処理を実行する。
【００５７】
また、ステップＳ１の判定が肯定判定の場合（ステップＳ１／ＹＥＳ）、制御部１７０Ａは、入力された操作データを解析する（ステップＳ２）。
制御部１７０Ａは、操作データの解析の結果、操作データにメニュー項目の選択命令が含まれるか否かを判定する（ステップＳ３）。肯定判定の場合（ステップＳ３／ＹＥＳ）、制御部１７０Ａは、操作データからメニュー項目を指定する情報を取り出し、取り出した情報に基づき、選択されたメニュー項目が表示されたメニュー画面をスクリーンＳＣに表示させる（ステップＳ４）。
【００５８】
また、操作データにメニュー項目の選択命令が含まれない場合（ステップＳ３／ＮＯ）、制御部１７０Ａは、操作データに、設定項目に対する設定値の変更命令が含まれるか否かを判定する（ステップＳ５）。操作データに、設定値の変更命令が含まれる場合（ステップＳ５／ＹＥＳ）、制御部１７０は、操作データから、設定項目を指定する情報と、指定された設定項目に対する操作量を示すデータとを取り出す。制御部１７０Ａは、取り出した操作量を示すデータに基づき、指定された設定項目の設定値を書き換える（ステップＳ６）。
【００５９】
また、操作データに設定値の変更命令が含まれない場合（ステップＳ５／ＮＯ）、制御部１７０Ａは、操作データに、プロジェクター１００の切替え命令が含まれるか否かを判定する（ステップＳ７）。操作データに切替え命令が含まれない場合（ステップＳ７／ＮＯ）、制御部１７０Ａは、操作データに含まれる他の命令に対応した処理を実行する（ステップＳ８）。
また、操作データに切替え命令が含まれる場合（ステップＳ７／ＹＥＳ）、制御部１７０は、切替えの実行前に操作対象として選択されているプロジェクター１００（切替え前プロジェクター１００という）から項目識別子を取得する（ステップＳ９）。制御部１７０Ａは、切替え前プロジェクター１００がスクリーンＳＣに表示しているメニュー画面のメニュー項目を特定する項目識別子を取得する。また、プロジェクター１００Ａ自身が、切替えの実行前に操作対象として選択されている場合、この処理を行う必要はない。
【００６０】
次に、制御部１７０Ａは、取得した項目識別子を、切替えの実行後に操作対象として選択されるプロジェクター１００に送信する（ステップＳ１０）。その後、制御部１７０Ａは、プロジェクター１００Ａ〜１００Ｄの機能設定が終了し、画像の投射が開始されたか否かを判定する（ステップＳ１１）。否定判定の場合（ステップＳ１１／ＮＯ）、制御部１７０Ａは、ステップＳ１に戻り、引き続き操作データを受信するまで待機する。また、肯定判定の場合（ステップＳ１１／ＹＥＳ）、制御部１７０Ａは、この処理フローを終了させる。
【００６１】
以上説明したように本発明を適用した第１実施形態は、マスタープロジェクターとしてのプロジェクター１００Ａと、サブプロジェクターとしてのプロジェクター１００Ｂ〜１００Ｄと、リモコン７とを備える。リモコン７は、プロジェクター１００Ａと通信する通信部７２と、操作を受け付ける操作部７１と、を備える。
プロジェクター１００Ａは、リモコン７と通信するリモコン受光部１３５Ａと、プロジェクター１００Ｂ〜１００Ｄと通信する通信Ｉ／Ｆ部１３９Ａとを備える。また、リモコン７により設定対象として選択された場合に、階層構造を構成する複数の設定画面から選択される１の設定画面を表示する表示部１１０を備える。
プロジェクター１００Ｂ〜１００Ｄは、プロジェクター１００Ａと通信する通信Ｉ／Ｆ部１３９Ｂ〜１３９Ｄを備える。また、リモコン７により設定対象として選択された場合に、階層構造を構成する複数の設定画面から選択される１の設定画面を表示する表示部１１０Ｂ〜１１０Ｄを備える。
【００６２】
リモコン７は、プロジェクター１００Ａが設定画面を表示中に操作部７１で受け付ける操作に基づき、プロジェクター１００Ａの設定にかかる設定情報を生成して、通信部７２によってプロジェクター１００Ａに送信させる。また、リモコン７は、プロジェクター１００Ｂ〜１００Ｄが設定画面を表示中に操作部７１で受け付ける操作に基づき、プロジェクター１００Ｂ〜１００Ｄの設定にかかる設定情報を生成して、通信部７２によってプロジェクター１００Ａに送信させる。
【００６３】
このように、表示システム、表示装置、コントローラー、表示装置の制御方法、及びプログラムを適用した実施形態によれば、次の作用効果が得られる。すなわち、プロジェクター１００Ａが、設定画面を表示中に、リモコン７から設定対象をプロジェクター１００Ｂ〜１００Ｄに切り替える切替指示を受信した場合に、表示中の設定画面の階層を示す項目識別子をプロジェクター１００Ｂ〜１００Ｄに送信する。このため、プロジェクター１００Ｂ〜１００Ｄに対し、プロジェクター１００Ａで表示された設定画面を指定できる。例えば、プロジェクター１００Ａで設定画面に基づき設定を行った場合に、プロジェクター１００Ｂ〜１００Ｄでも同じ設定画面を表示して設定を行うことができる。そして、この動作を、リモコン７から切替指示を送信することで、容易に実行できる。従って、複数のプロジェクター１００に対して設定を行う場合の作業を容易にし、作業負担を軽減できる。
【００６４】
また、プロジェクター１００Ａは、設定画面に表示されるメニュー項目と、メニュー項目を特定する項目識別子とを対応付けた識別子登録テーブル１６５Ａを記憶する記憶部１６０Ａを備える。
プロジェクター１００Ｂ〜１００Ｄは、プロジェクター１００Ａの記憶する識別子登録テーブル１６５Ａと同一の識別子登録テーブル１６５Ｂ〜１６５Ｄを記憶する記憶部１６０Ｂ〜１６０Ｄを備える。
プロジェクター１００Ｂ〜１００Ｄは、プロジェクター１００Ａから設定画面の階層を示す項目識別子を受信し、識別子登録テーブル１６５Ｂ〜１６５Ｄを参照して受信した項目識別子に対応付けられたメニュー項目を特定する。プロジェクター１００Ｂ〜１００Ｄは、特定したメニュー項目が表示された設定画面を表示部１１０Ｂ〜１１０Ｄにより表示する。
従って、プロジェクター１００Ａ〜１００Ｄが同一の識別子登録テーブル１６５Ａ〜１６５Ｄを記憶しているので、プロジェクター１００Ｂ〜１００Ｄにおいて、プロジェクター１００Ａが表示中の設定画面のメニュー項目を精度よく特定できる。
【００６５】
また、プロジェクター１００Ａは、設定対象としてプロジェクター１００Ｂ〜１００Ｄが選択され、リモコン７から設定画面の変更指示を受信すると、変更後の設定画面に表示されるメニュー項目の項目識別子を記憶部１６０Ａに記憶させる。プロジェクター１００Ａは、設定対象として選択されたプロジェクター１００Ｂ〜１００Ｄに、リモコン７から受信した設定画面の変更指示を送信する。
また、プロジェクター１００Ａは、リモコン７から設定対象をプロジェクター１００Ａに切り替える切替指示を受信した場合に、記憶部１６０Ａから項目識別子を取得する。プロジェクター１００Ａは、識別子登録テーブル１６５Ａを参照して項目識別子に対応付けられたメニュー項目を特定し、特定したメニュー項目が表示された設定画面を表示部１１０Ａにより表示する。
従って、設定対象がプロジェクター１００Ｂ〜１００Ｄからプロジェクター１００Ａに切り替えられても、プロジェクター１００Ａにおいて、プロジェクター１００Ｂ〜１００Ｄが表示中の設定画面を表示させることができる。このため、第１の表示装置の設定を容易に行うことができる。
【００６６】
［第２実施形態］
本発明の第２実施形態について説明する。
上述した実施形態では、リモコン７により複数のプロジェクター１００の機能設定を行った。本実施形態は、リモコン７に代えてタブレット端末３００により複数のプロジェクター１００の機能設定を行う。タブレット端末３００は、本発明の「コントローラー」に相当する。
【００６７】
図６は、本実施形態のシステム構成を示す図である。
図６を参照しながらタブレット端末３００の構成を説明する。
タブレット端末３００は、制御部３１０、記憶部３２０、入力デバイス３３１、入力Ｉ／Ｆ部３３２、表示部３４１、表示パネル３４２、撮像部３５０、無線通信部３６０を備える。制御部３１０、記憶部３２０、入力Ｉ／Ｆ部３３２、表示部３４１、撮像部３５０、無線通信部３６０は、それぞれ内部バス３７０に接続される。無線通信部３６０は、本発明の「第１通信部」に相当する。記憶部３２０は、本発明の「第３記憶部」に相当する。
【００６８】
制御部３１０は、ＲＯＭ３１１、ＲＡＭ３１２及びＣＰＵ３１３を備える。
ＲＯＭ３１１は、ＣＰＵ３１３が実行する基本制御プログラム（ＯＳ：Operating System）や、データを不揮発的に記憶する。ＲＡＭ３１２には、ＲＯＭ３１１から読み出されたＯＳのプログラムや、記憶部３２０から読み出されたアプリケーションプログラムがＣＰＵ３１３により展開される。また、ＲＡＭ３１２は、ＣＰＵ３１３が行うデータ処理の作業領域として使用される。ＣＰＵ３１３は、ＯＳやアプリケーションプログラムを実行してデータ処理を行い、タブレット端末３００の各部を制御する。
【００６９】
記憶部３２０は、制御部３１０が実行するアプリケーションプログラムや、画像データを記憶する。また、記憶部３２０は、識別子登録テーブル３２１を記憶する。識別子登録テーブル３２１と、識別子登録テーブル１６５Ａ〜１６５Ｄとに登録される情報は、同一の情報である。すなわち、項目識別子を特定することで、タブレット端末３００と、プロジェクター１００Ａ〜１００Ｄとは、同一のメニュー項目を特定することができる。
【００７０】
また、記憶部３２０は、配置情報３２２を記憶する。
図７は、配置情報３２２を示す図である。配置情報３２２は、画像を投射するプロジェクター１００のＩＰアドレスと、各プロジェクター１００が画像を投射するスクリーンＳＣ上の表示位置とを対応付けた情報である。
すなわち、配置情報３２２は、各プロジェクター１００の識別情報と、各プロジェクター１００が投射する画像のスクリーンＳＣ上での表示位置とを対応付ける情報であり、各プロジェクター１００の投射する画像の相対的な位置関係を示す情報である。また、ＩＰアドレスは、本発明の「識別情報」に相当する。
図７は、例えば、スクリーンＳＣの表示領域１０を、図１に示す表示領域１０Ａ、１０Ｂ、１０Ｃ及び１０Ｄの４つの領域に分割し、分割した各表示領域１０Ａ〜１０Ｄにプロジェクター１００Ａ〜１００Ｄが画像を投射する場合の配置情報３２２を示す。
表示領域１０Ａには、プロジェクター１００Ａが投射する画像が表示され、プロジェクター１００ＡのＩＰアドレスが「１９２．１６８．０．１００」であると仮定する。配置情報３２２において、表示領域１０Ａに対応する左上の領域には、プロジェクター１００ＡのＩＰアドレス「１９２．１６８．０．１００」が登録される。
表示領域１０Ｂには、プロジェクター１００Ｂが投射する画像が表示され、プロジェクター１００ＢのＩＰアドレスが「１９２．１６８．０．１０１」であると仮定する。配置情報３２２において、表示領域１０Ｂに対応する右上の領域には、プロジェクター１００ＢのＩＰアドレス「１９２．１６８．０．１０１」が登録される。
表示領域１０Ｃには、プロジェクター１００Ｃが投射する画像が表示され、プロジェクター１００ＣのＩＰアドレスが「１９２．１６８．０．１０２」であると仮定する。配置情報３２２において、表示領域１０Ｃに対応する左下の領域には、プロジェクター１００ＣのＩＰアドレス「１９２．１６８．０．１０２」が登録される。
表示領域１０Ｄには、プロジェクター１００Ｄが投射する画像が表示され、プロジェクター１００ＤのＩＰアドレスが「１９２．１６８．０．１０３」であると仮定する。配置情報３２２において、表示領域１０Ｄに対応する右下の領域には、プロジェクター１００ＤのＩＰアドレス「１９２．１６８．０．１０３」が登録される。
【００７１】
入力デバイス３３１は、キーボード、又はマウスやデジタイザー等のポインティングデバイスである。入力デバイス３３１は、本発明の「操作部」に相当する。入力Ｉ／Ｆ部３３２は、コネクターや電源供給回路を備え、コネクターにより入力デバイス３３１に接続される。入力Ｉ／Ｆ部３３２は、例えば、ＵＳＢインターフェース等の入力デバイス用の汎用インターフェースで構成され、入力デバイス３３１による操作を検出して、検出した操作に応じた操作信号を制御部３１０に出力する。
【００７２】
表示部３４１は、表示パネル３４２に接続され、表示信号を生成して表示パネル３４２に画像を表示させる。
表示パネル３４２には、表示パネル３４２への接触を検出するタッチセンサーが表示パネル３４２に重ね合わされて一体形成される。タッチセンサーは、入力デバイス３３１に含まれる。入力Ｉ／Ｆ部３３２は、ユーザーの指等が接触した表示パネル３４２の位置を入力位置として検出し、検出した入力位置に対応した操作信号を制御部３１０に出力する。
【００７３】
撮像部３５０は、撮像光学系、撮像素子及びインターフェース回路等を有するカメラを備え、制御部３１０の制御に従って撮像画像データを生成する。撮像部３５０は、生成した撮像画像データを制御部３１０に出力する。
【００７４】
無線通信部３６０は、図示しないアンテナやＲＦ回路等を備え、制御部３１０の制御の下、外部の装置（例えば、プロジェクター１００Ａ）との間で無線通信を実行する。無線通信部３６０の無線通信方式は、例えば無線ＬＡＮ、Ｂｌｕｅｔｏｏｔｈ、ＵＷＢ、赤外線通信等の近距離無線通信方式、又は携帯電話回線を利用した無線通信方式を採用できる。
【００７５】
図８は、第２実施形態のプロジェクター１００Ａの構成を示す構成図である。プロジェクター１００Ｂ〜１００Ｄの構成は、上述した第１実施形態のプロジェクター１００Ａと同一であるため図示及び説明を省略する。
第２実施形態のプロジェクター１００Ａの制御部１７０Ａは、Ｗｅｂサーバー実行部１７３Ａを機能ブロックとしてさらに備える。また、記憶部１６０Ａは、Ｗｅｂサーバー１６７Ａを記憶する。
Ｗｅｂサーバー実行部１７３Ａは、Ｗｅｂサーバー１６７Ａを実行して、Ｗｅｂブラウザー３２３等のクライアントソフトウェアからの要求に応じ、無線ネットワークを通じてＷｅｂページを構成するＨＴＭＬデータ等のデータのやりとりを行う。
【００７６】
タブレット端末３００の制御部３１０は、Ｗｅｂブラウザー３２３が起動されると、マスター機であるプロジェクター１００Ａが接続された無線ネットワークに接続する。
例えば、タブレット端末３００に、ＡＯＳＳ（登録商標）や、ＷＰＳ（WiFi(登録商標) Protected Setup）等の機能が搭載されていれば、これらの機能を用いて、プロジェクター１００Ａが接続された無線ＬＡＮアクセスポイント（図示略）に接続する。また、Ｗｉ−Ｆｉ（登録商標）のＷｉ−Ｆｉ Ｄｉｒｅｃｔ等の機能を用いて、タブレット端末３００とプロジェクター１００Ａとを直接、無線接続してもよい。
【００７７】
次に、タブレット端末３００の制御部３１０は、Ｗｅｂブラウザー３２３を実行して、プロジェクター１００Ａに、ネットワーク２に接続された各プロジェクター１００Ａ〜１００ＤのＩＰアドレスの取得要求を送信する。
プロジェクター１００Ａの制御部１７０Ａは、ＩＰアドレスの取得要求を受信すると、予め定めた応答要求をブロードキャストする。この応答要求は、同一ネットワークであるネットワーク２に属するノードであるプロジェクター１００Ｂ〜１００Ｄからの応答を要求する所定の信号である。より具体的には、制御部１７０Ａは、応答要求として、ネットワーク２に属するプロジェクター１００Ｂ〜１００Ｄを探索する探索コマンドをブロードキャストする。
【００７８】
各プロジェクター１００Ｂ〜１００Ｄの制御部１７０Ｂ〜１７０Ｄは、応答要求を受信すると、応答要求に対する応答である応答コマンドをプロジェクター１００Ａに送信する。この応答の際、プロジェクター１００Ｂ〜１００Ｄの制御部１７０Ｂ〜１７０Ｄは、記憶部１６０Ｂ〜１６０Ｄに記憶されるＩＰアドレスの情報も送信する。
プロジェクター１００Ａの制御部１７０Ａは、応答要求を送信した後、応答を受信するまで待機する。応答（応答コマンド）を受信すると、受信した応答に含まれるＩＰアドレスを取得する。制御部１７０Ａは、取得したプロジェクター１００Ｂ〜１００ＤのＩＰアドレスと、自身のＩＰアドレスとを記憶部１６０Ａに記憶させる。また、制御部１７０Ａは、取得したＩＰアドレスと、プロジェクター１００Ａ自身のＩＰアドレスとをタブレット端末３００に送信する。
【００７９】
制御部３１０は、ネットワーク２に接続された各プロジェクター１００Ａ〜１００ＤのＩＰアドレスを取得すると、取得したプロジェクター１００のＩＰアドレスと、各プロジェクター１００が画像を投射するスクリーンＳＣ上の表示位置とを対応付ける。
制御部３１０は、例えば、取得したＩＰアドレスの中から１つを選択する。なお、制御部３１０は、取得したＩＰアドレスを表示パネル３４２に表示させ、ユーザーに１つのＩＰアドレスを選択させてもよい。すなわち、入力デバイス３３１によりＩＰアドレスの選択を受け付けてもよい。
制御部３１０は、ＩＰアドレスが選択されると、選択されたＩＰアドレスと、所定の画像の表示要求とをプロジェクター１００Ａに送信する。この所定の画像は、ＩＰアドレスのプロジェクター１００が投射する画像のスクリーンＳＣ上での表示位置を特定するための画像である。所定の画像として、例えば、黒や青等の単一色の画像を用いることができる。以下、この所定の画像を位置判定画像という。
【００８０】
制御部１７０Ａは、受信したＩＰアドレスがプロジェクター１００Ａ自身のＩＰアドレスであるか否かを判定する。受信したＩＰアドレスがプロジェクター１００Ａ自身のＩＰアドレスである場合、制御部１７０Ａは、表示部１１０Ａを制御して、スクリーンＳＣに位置判定画像を表示させる。
【００８１】
スクリーンＳＣに位置判定画像が表示されると、タブレット端末３００の制御部３１０は、選択されたＩＰアドレスのプロジェクター１００のスクリーンＳＣ上での表示位置を特定する。例えば、撮像部３５０によりスクリーンＳＣを撮像し、撮像された撮像画像データからスクリーンＳＣの画像及び位置判定画像を抽出してもよい。この処理により、選択されたＩＰアドレスのプロジェクター１００のスクリーンＳＣ上での表示位置を特定してもよい。
【００８２】
また、ユーザーに、表示領域１０を分割する分割パターンを選択させ、選択された分割パターンに対応した図形を表示パネル３４２に表示して、選択されたＩＰアドレスを、表示された図形のいずれかに対応付ける操作を行ってもよい。
図９は、表示パネル３４２に表示される設定画面を示す図である。この設定画面は、Ｗｅｂブラウザー３２３が、Ｗｅｂサーバー１６７Ａから取得したＷｅｂページの画面である。
設定画面には、表示領域１０の分割数を設定する複数のアイコン５１が表示される。ユーザーは、入力デバイス３３１を操作してアイコン５１のいずれかを選択することで、表示領域１０の分割数を設定する。ユーザーがアイコン５１を選択して、表示領域１０の分割数を選択すると、選択された分割数と同数の矩形の図形５５〜５８が、設定画面の設定領域５２に表示される。これらの図形５５〜５８は、分割領域のそれぞれを模式的に示す図形である。ユーザーは、設定領域５２に図形５５〜５８が表示されると、表示される位置判定画像のスクリーンＳＣ上での表示位置に基づいて、選択されたＩＰアドレスを、表示された図形５５〜５８のいずれかに対応付ける。
【００８３】
制御部３１０は、配置情報３２２を生成すると、各プロジェクター１００Ａ〜１００Ｄの機能設定を行う。本実施形態では、最初に機能設定を行う操作対象のプロジェクター１００は、マスター機であるプロジェクター１００Ａに設定されていると仮定する。
ユーザーは、表示パネル３４２に対するタッチ操作、又は入力デバイス３３１の操作により、設定を行うプロジェクター１００Ａの機能（メニュー項目）を選択する。制御部３１０は、選択されたメニュー項目の項目識別子を含む操作データをプロジェクター１００Ａに送信する。
プロジェクター１００Ａの制御部１７０Ａは、受信した操作データから項目識別子を取り出し、取り出した項目識別子により選択されたメニュー項目を判定する。制御部１７０Ａは、判定したメニュー項目を含むメニュー画面をスクリーンＳＣに表示させる。
【００８４】
また、例えば、スクリーンＳＣに、設定項目を表示したメニュー画面が表示された場合、制御部３１０は、表示パネル３４２に対するタッチ操作、又は入力デバイス３３１による操作を受け付ける。制御部３１０は、設定項目の設定値を変更する操作量を示すデータを生成する。制御部３１０は、生成した操作量を示すデータを含む操作データを、プロジェクター１００Ａに送信する。プロジェクター１００Ａの制御部１７０Ａは、受信した操作データから操作量を示すデータを取り出し、該当の機能の設定値を書き換える。
【００８５】
また、制御部３１０は、操作対象のプロジェクター１００を切り替える切替え操作を受け付けた場合、受け付けた操作と、配置情報３２２とに基づき、選択されたプロジェクター１００を判定する。
【００８６】
図１０には、タブレット端末３００により操作対象のプロジェクター１００を切り替える切替え操作を行う場合の操作例を示す。
図１０は、ジェスチャー操作により操作対象のプロジェクター１００を切り替える切替え操作を行う場合を示す。ユーザーは、現在、操作対象として選択されているプロジェクター１００の表示位置を基準として、次に操作対象として選択したいプロジェクター１００の表示位置の方向に、表示パネル３４２に接触させた指を動かす、いわゆるスワイプ操作を行う。この操作が、本発明の「特定の方向を指定する操作」に相当する。
タブレット端末３００の制御部３１０は、ユーザーの指の表示パネル３４２上での接触位置の変化に基づいて、ユーザーにより入力された方向（以下、入力方向という）を特定する。制御部３１０は、入力方向を特定すると、配置情報３２２を参照して、操作対象として選択されたプロジェクター１００を特定する。
【００８７】
例えば、現在、操作対象として選択されているプロジェクター１００がプロジェクター１００Ａであり、入力方向として右方向が検出された場合、制御部３１０は、プロジェクター１００Ｂを操作対象として選択する。また、制御部３１０は、入力方向として下向が検出された場合、制御部３１０は、プロジェクター１００Ｃを操作対象として選択する。また、制御部３１０は、入力方向として右下向が検出された場合、制御部３１０は、プロジェクター１００Ｄを操作対象として選択する。
【００８８】
なお、本実施形態では、操作対象のプロジェクター１００を切り替える切替え操作の方法としてジェスチャー操作を説明するが、切替え操作の方法は、ジェスチャー操作に限定されない。例えば、制御部３１０は、最下層である第３階層のメニュー項目が選択された場合に、表示パネル３４２に十字キーの画像を表示させる。ここで、制御部３１０は、表示させた十字キーに対するユーザーの操作を検出して、操作対象のプロジェクター１００を選択してもよい。また、タブレット端末３００が備える入力デバイス３３１を操作して、操作対象のプロジェクター１００を選択してもよい。
【００８９】
制御部３１０は、操作対象のプロジェクター１００が選択されると、選択されたプロジェクター１００のＩＰアドレスを、配置情報３２２を参照して取得する。制御部３１０は、取得したＩＰアドレスと、操作対象のプロジェクター１００の切替え指示とを含む操作データを生成して、プロジェクター１００Ａに送信する。
【００９０】
制御部１７０Ａは、切替え指示とＩＰアドレスとを受信すると、受信した切替え指示により操作対象のプロジェクター１００が、ＩＰアドレスが示すプロジェクター１００に切り替えられたと判定する。この場合、制御部１７０Ａは、このＩＰアドレスをＲＡＭ又は記憶部１６０Ａに記憶させる。
プロジェクター１００Ａの制御部１７０Ａは、タブレット端末３００から操作データを受信すると、受信した操作データを、ＲＡＭ又は記憶部１６０Ａに記憶させたＩＰアドレスのプロジェクター１００に送信する。
また、制御部１７０Ａは、プロジェクター１００Ｂ〜１００Ｄが操作対象として選択された状態で、タブレット端末３００から操作データとして項目識別子を含む操作データを受信した場合、この項目識別子を記憶部１６０Ａに記憶させる。そして、プロジェクター１００Ａの制御部１７０Ａは、タブレット端末３００から切替え指示と、ＩＰアドレスとを含む操作データを受信した場合、記憶部１６０Ａに記憶させた項目識別子を取り出し、ＩＰアドレスのプロジェクター１００に送信する。
【００９１】
図１１は、タブレット端末３００の制御部３１０の動作を示すフローチャートである。
制御部３１０は、表示パネル３４２に対するタッチ操作、又は入力デバイス３３１の操作を検出したか否かを判定する（ステップＳ１１）。否定判定の場合（ステップＳ１１／ＮＯ）、制御部３１０は、操作が検出されるまで待機する。
【００９２】
また、操作が検出された場合（ステップＳ１１／ＹＥＳ）、制御部３１０は、検出された操作がメニュー項目を選択する操作であるか否かを判定する（ステップＳ１２）。検出された操作が、メニュー項目を選択する操作である場合（ステップＳ１２／ＹＥＳ）、操作データを送信する（ステップＳ１３）。詳細には、ステップＳ１３で、制御部３１０は、選択されたメニュー項目を特定する項目識別子を、識別子登録テーブル３２１を参照して取得し、取得した項目識別子を含む操作データを、プロジェクター１００Ａに送信する。
【００９３】
また、制御部３１０は、ステップＳ１２の判定が否定判定である場合（ステップＳ１２／ＮＯ）、受け付けた操作が、設定項目の設定値を変更する操作であるか否かを判定する（ステップＳ１４）。肯定判定の場合（ステップＳ１４／ＹＥＳ）、制御部３１０は、受け付けた操作に基づき、設定項目の設定値を変更する操作量を示すデータを生成する。制御部３１０は、生成した操作量を示すデータを含む操作データをプロジェクター１００Ａに送信する（ステップＳ１５）。
【００９４】
また、制御部３１０は、ステップＳ１４の判定が否定判定である場合（ステップＳ１４／ＮＯ）、受け付けた操作が、操作対象のプロジェクター１００の切替え操作であるか否かを判定する（ステップＳ１６）。肯定判定の場合（ステップＳ１６／ＹＥＳ）、制御部３１０は、受け付けた操作の操作方向を特定し（ステップＳ１７）、配置情報３２２を参照して特定した操作方向に画像を投射するプロジェクター１００を特定する。制御部３１０は、特定したプロジェクター１００のＩＰアドレスを配置情報３２２から取得し（ステップＳ１８）、取得したＩＰアドレスを含む操作データをプロジェクター１００Ａに送信する（ステップＳ１９）。
【００９５】
また、ステップＳ１６の判定が否定判定の場合（ステップＳ１６／ＮＯ）、制御部３１０は、受け付けた操作に対応した他の処理を実行する（ステップＳ２０）。その後、制御部３１０は、プロジェクター１００Ａ〜１００Ｄの機能設定が終了し、Ｗｅｂブラウザー３２３がオフされたか否かを判定する（ステップＳ２１）。否定判定の場合（ステップＳ２１／ＮＯ）、制御部３１０は、ステップＳ１１に戻り、引き続き操作検出を行う。肯定判定の場合（ステップＳ２１／ＹＥＳ）、制御部３１０は、この処理フローを終了させる。
【００９６】
なお、第２実施形態のプロジェクター１００Ａの動作は、図５のフローチャートに示す動作とほぼ同一であるため説明を省略する。
【００９７】
以上説明したように本発明の表示システム、表示装置、コントローラー、表示装置の制御方法、及びプログラムを適用した第２実施形態も第１実施形態と同様の効果を得ることができる。
【００９８】
また、第２実施形態の表示システム１は、タブレット端末３００を備える。
タブレット端末３００は、プロジェクター１００Ａ〜１００Ｄを識別するＩＰアドレスを記憶部３２０に記憶する。
プロジェクター１００Ａは、プロジェクター１００Ａ〜１００Ｄを識別するＩＰアドレスを記憶部１６０Ａに記憶する。
タブレット端末３００は、入力デバイス３３１で受け付けた操作により選択されたプロジェクター１００Ａ〜１００Ｄのいずれかを示すＩＰアドレスと、切替指示とをプロジェクター１００Ａに送信する。
【００９９】
プロジェクター１００Ａは、タブレット端末３００から受信したＩＰアドレスにより特定されるプロジェクター１００Ｂ〜１００Ｄに記憶部１６０Ａから取得した項目識別子を送信する。また、プロジェクター１００Ａは、タブレット端末３００から受信したＩＰアドレスがプロジェクター１００Ｂ〜１００ＤのいずれかのＩＰアドレスである場合に、記憶部１６０Ａから取得した項目識別子を送信してもよい。
従って、タブレット端末３００がプロジェクター１００Ｂ〜１００Ｄの中から設定対象を選択しても、プロジェクター１００Ａはタブレット端末３００により選択されたプロジェクター１００Ｂ〜１００Ｄに、項目識別子を送信することができる。
【０１００】
また、タブレット端末３００の記憶部３２０は、プロジェクター１００Ａ〜１００Ｄの相対的な位置関係を示す配置情報３２２を記憶する。
タブレット端末３００は、表示パネル３４２に対するタッチ操作により特定の方向を指定する操作を受け付けてもよい。タブレット端末３００は、この操作を受け付けると、設定対象として選択されたプロジェクター１００Ａ〜１００Ｄの位置を基準として、上記特定の方向に存在するプロジェクター１００Ａ〜１００Ｄを、位置関係を示す情報を参照して特定する。タブレット端末３００は、特定したプロジェクター１００Ａ〜１００ＤのＩＰアドレスと、切替指示とをプロジェクター１００Ａに送信する。従って、表示パネル３４２に対するタッチ操作により特定の方向を指定する操作を入力することで、特定の方向に配置されたプロジェクター１００Ａ〜１００Ｄを設定対象として選択することができる。
【０１０１】
上述した第１及び第２実施形態は本発明の好適な実施の形態である。但し、これに限定されるものでなはく、本発明の要旨を逸脱しない範囲内で種々の変形実施が可能である。
例えば、上述した第２実施形態では、プロジェクター１００Ａ〜１００Ｄは、有線のネットワーク２に接続され、タブレット端末３００とプロジェクター１００Ａとが無線により通信を行う場合を示した。タブレット端末３００と、プロジェクター１００Ａ〜１００Ｄとを無線ネットワークにより接続してもよい。
【０１０２】
また、上述した第１及び第２実施形態では、光源が発した光を変調する光変調装置１１２Ａとして、ＲＧＢの各色に対応した３枚の透過型の液晶パネルを用いた構成を例に挙げて説明したが、本発明はこれに限定されるものではない。例えば、３枚の反射型液晶パネルを用いた構成としてもよいし、１枚の液晶パネルとカラーホイールを組み合わせた方式を用いてもよい。或いは、３枚のデジタルミラーデバイス（ＤＭＤ）を用いた方式、１枚のデジタルミラーデバイスとカラーホイールを組み合わせたＤＭＤ方式等により構成してもよい。光変調装置として１枚のみの液晶パネルまたはＤＭＤを用いる場合には、クロスダイクロイックプリズム等の合成光学系に相当する部材は不要である。また、液晶パネルおよびＤＭＤ以外にも、光源が発した光を変調可能な光変調装置であれば問題なく採用できる。
【０１０３】
また、図２及び図８に示したプロジェクター１００、及び図６に示したタブレット端末３００の各機能部は、機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１００及びタブレット端末３００の他の各部の具体的な細部構成についても、本発明の趣旨を逸脱しない範囲で任意に変更可能である。
【０１０４】
また、図５に示すフローチャートの処理単位は、プロジェクター１００Ａの設定制御部１７２Ａの処理を理解容易にするために、主な処理内容に応じて分割したものであり、処理単位の分割の仕方や名称によって本発明が制限されることはない。同様に、図１１に示すフローチャートの処理単位は、タブレット端末３００の制御部３１０の処理を理解容易にするために、主な処理内容に応じて分割したものであり、処理単位の分割の仕方や名称によって本発明が制限されることはない。
また、設定制御部１７２Ａ及び制御部３１０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【０１０５】
２…ネットワーク、３…通信ケーブル、５…ケーブル、７…リモコン（コントローラー）、７１…操作部、７２…通信部（第１通信部）、１００Ａ…プロジェクター（第１の表示装置）、１００Ｂ〜１００Ｄ…プロジェクター（第２の表示装置）、１１０Ａ…表示部（第１表示部、表示部）、１１０Ｂ〜１１０Ｄ…（第２表示部）、１１１…光源部、１１２…光変調装置、１１３…投射光学系、１２１…光源駆動部、１２２…光変調装置駆動部、１３１…入力操作部、１３５…リモコン受光部（第２通信部）、１３７…無線通信部、１３９Ａ…通信Ｉ／Ｆ部（第２通信部、通信部）、通信Ｉ／Ｆ部１３９Ｂ〜１３９Ｄ（第３通信部）、１５１…画像Ｉ／Ｆ部、１５２…画像処理部、１５５…フレームメモリー、１６０Ａ…記憶部（第１記憶部）、１６０Ｂ〜１６０Ｄ…記憶部（第２記憶部）、１６５…識別子登録テーブル、１６７…Ｗｅｂサーバー、１７０…制御部、１７１…投射制御部、１７２…設定制御部、１７３…Ｗｅｂサーバー実行部、１８０…内部バス、２００…画像供給装置、３００…タブレット端末（コントローラー）、３１０…制御部、３２０…記憶部（第３記憶部）、３２１…識別子登録テーブル、３２２…配置情報、３２３…Ｗｅｂブラウザー、３３１…入力デバイス（操作部）、３３２…入力Ｉ／Ｆ部、３５０…撮像部、３６０…無線通信部（第１通信部）、３７０…内部バス。
【図１】
2018037834.tif 000003
【図２】
2018037834.tif 000004
【図３】
2018037834.tif 000005
【図４】
2018037834.tif 000006
【図５】
2018037834.tif 000007
【図６】
2018037834.tif 000008
【図７】
2018037834.tif 000009
【図８】
2018037834.tif 000010
【図９】
2018037834.tif 000011
【図１０】
2018037834.tif 000012
【図１１】
2018037834.tif 000013